(57)【要約】【課題】複数組の表裏両面の画像の関係が同一画面上で見易く効率的に把握されるように表示させることが可能な画像表示制御装置、画像表示制御方法、及びコンピュータプログラムを提供する。【解決手段】取得した画像データに基づいて、画像サイズが原稿画像より縮小され、且つ頁番号順に表裏対をなす３組の表面画像及び裏面画像を生成し、生成した各組の表面画像及び裏面画像の縦方向の中心線を重ね合わせ、該中心線を軸にして互いに半周期差で横方向に回転させて３組の表面画像同士又は裏面画像同士が、画面１３０上の各組別に対応付けられた表示領域１３１，１３２，１３３内で、夫々１つおきとなる頁番号の若番順に並ぶように連続的に切替表示させる。【選択図】図２Ａ
2011048480.tif 000002
【特許請求の範囲】
【請求項１】
複数枚の両面原稿の原稿画像を構成してあり、各面毎に連続する頁番号が含まれている画像データを取得する画像取得部と、
頁番号順に表裏対をなしており、画像サイズが原稿画像より縮小された複数組の第１面画像及び第２面画像を、取得した画像データに基づいて生成する画像生成部と、
生成した複数組の一部又は全部の組の第１面画像又は第２面画像が、画面上の各組毎の表示領域内に頁番号順に並ぶように切替表示させる表示制御部と
を備えることを特徴とする画像表示制御装置。
【請求項２】
前記表示制御部は、前記各組の第１面画像及び第２面画像を複数回連続的に切替表示させるようにしてあることを特徴とする請求項１に記載の画像表示制御装置。
【請求項３】
前記表示制御部は、前記各組の第１面画像及び第２面画像を夫々の縦方向又は横方向の共通の中心線を軸にして互いに半周期差で同一方向に回転させて連続的に切替表示させるようにしてあることを特徴とする請求項１又は２に記載の画像表示制御装置。
【請求項４】
前記表示制御部は、前記各組の第１面画像（又は第２面画像）の上に重ね合わせて表示させた第２面画像（又は第１面画像）を前記表示領域の一方から他方へスライドさせて連続的に切替表示させるようにしてあることを特徴とする請求項１又は２に記載の画像表示制御装置。
【請求項５】
前記画像生成部は、画面上の第１領域に表示されるべき第１面画像及び第２面画像の原稿画像に対する縮小率を、第２領域に表示されるべき第１面画像及び第２面画像の縮小率より大きくしてあることを特徴とする請求項１から４までの何れか１項に記載の画像表示制御装置。
【請求項６】
前記画像データに基づく画像から原稿のサイズを検出する原稿サイズ検出部を備え、
前記表示制御部は、前記原稿サイズ検出部が検出したサイズに応じて異なる態様で切替表示させるようにしてあることを特徴とする請求項１から５までの何れか１項に記載の画像表示制御装置。
【請求項７】
所定の操作を受け付ける操作部と、
該操作部が前記所定の操作を受け付けた場合、計時を開始する計時部とを備え、
前記表示制御部は、前記計時部が計時を開始してから所定時間を計時するまで、前記各組の第１面画像を表示させて切替表示させないようにしてあることを特徴とする請求項１から６までの何れか１項に記載の画像表示制御装置。
【請求項８】
画像表示制御装置を用いて、複数枚の両面原稿の原稿画像を構成してあり、各面毎に連続する頁番号が含まれている画像データを取得し、
取得した画像データに基づいて、頁番号順に表裏対をなす複数組の第１面画像及び第２面画像を縮小して生成し、
生成した複数組の一部又は全部の組の第１面画像又は第２面画像が、画面上の各組毎の表示領域内に頁番号順に並ぶように切替表示させること
を特徴とする画像表示制御方法。
【請求項９】
画像データを取得して画像データに基づく画像を表示するコンピュータに、複数枚の両面原稿の原稿画像を構成してあり、各面毎に連続する頁番号が含まれている画像データに基づいて画像の表示を制御させるコンピュータプログラムであって、
コンピュータに、取得した画像データに基づいて、頁番号順に表裏対をなす複数組の第１面画像及び第２面画像を縮小して生成させるステップと、
コンピュータに、生成させた複数組の一部又は全部の組の第１面画像又は第２面画像が、画面上の各組毎の表示領域内に頁番号順に並ぶように切替表示させるステップと
を含むことを特徴とするコンピュータプログラム。
【発明の詳細な説明】
【技術分野】
【０００１】
本発明は、画像データを取得して画像の表示を制御する画像表示制御装置、画像表示制御方法、及び前記画像表示制御装置を実現するためのコンピュータプログラムに関する。
【背景技術】
【０００２】
従来、ＣＣＤ（Charge Coupled Devices）等のイメージセンサで原稿画像の読み取りを行い、取得した画像データに対して種々の処理を行う装置としてコピー機、ファクシミリ、スキャナ、デジタル複合機等のＯＡ機器がオフィスに普及している。例えば、コピー機は読み取った画像データに基づく画像を印刷用紙に形成する処理を行い、ファクシミリは読み取った画像データを他のファクシミリ通信機器へ送信する処理を行う。また、スキャナは読み取った画像データを自装置の記憶装置に記憶する処理、及びＰＣ（パーソナルコンピュータ）等の他装置に送信する処理を行う。デジタル複合機はこれらの複数のＯＡ機器の機能を兼ね備えている。
【０００３】
このようなＯＡ機器及び画像データを取得したＰＣにおいて画像データを取得したときに、使用者の所望通りに原稿画像が読み取られているか否かを確認するために、画像データに基づく画像を表示するプレビュー機能を備えたものがある。プレビューされた画像に問題がある場合は、例えば、原稿画像の読み取りのやり直し、及びプレビューされた画像に対する編集処理への移行を可能とする。このようなプレビュー機能による画像の確認は、特に両面原稿の原稿画像が読み取られた場合、及び製本印刷のような複雑な印刷を目的とした画像データが生成されて取得された場合に、頁の順序を確認するためにも欠かせないものとなる。
【０００４】
これに対し、特許文献１では、両面画像のプレビュー表示において、実際の印刷物に相当する印刷媒体（シート）の画像と、その印刷媒体上に形成される印刷内容に関する画像とからなるイメージ画像を所定の動画パターンで動的に表示する技術が開示されている。また、特許文献２では、画像データに基づいて両面印刷がなされたとした場合に、複数枚の記録材（シート）を重ね置きした状態から最上面の記録材の下方の隅部を捲り返した画像と、捲り返し部分にその裏面の画像とをプレビュー表示する技術が開示されている。更に、特許文献３では、ステープルの画像の位置を基準にして、シートの画像が捲れて行く状態の動画を表示する技術が開示されている。
【先行技術文献】
【特許文献】
【０００５】
【特許文献１】特開２００６−１９２５８０号公報
【特許文献２】特開２００８−１７９０３７号公報
【特許文献３】特開２００７−２８０３６９号公報
【発明の概要】
【発明が解決しようとする課題】
【０００６】
しかしながら、特許文献１から３に開示された技術では、表裏両面の画像の内容及び印刷結果が、頁の順序と共に直感的に把握されるように表示させることは可能であるが、複数組の表裏両面の画像の関係が、同一画面上で見易く効率的に把握されるように表示させることができなかった。
【０００７】
本発明は斯かる事情に鑑みてなされたものであり、その目的とするところは、複数組の表裏両面の画像の関係が同一画面上で見易く効率的に把握されるように表示させることが可能な画像表示制御装置、画像表示制御方法、及び該画像表示制御装置を実現するためのコンピュータプログラムを提供することにある。
【課題を解決するための手段】
【０００８】
本発明に係る画像表示制御装置は、複数枚の両面原稿の原稿画像を構成してあり、各面毎に連続する頁番号が含まれている画像データを取得する画像取得部と、頁番号順に表裏対をなしており、画像サイズが原稿画像より縮小された複数組の第１面画像及び第２面画像を、取得した画像データに基づいて生成する画像生成部と、生成した複数組の一部又は全部の組の第１面画像又は第２面画像が、画面上の各組毎の表示領域内に頁番号順に並ぶように切替表示させる表示制御部とを備えることを特徴とする。
【０００９】
本発明に係る画像表示制御装置は、前記表示制御部は、前記各組の第１面画像及び第２面画像を複数回連続的に切替表示させるようにしてあることを特徴とする。
【００１０】
本発明に係る画像表示制御装置は、前記表示制御部は、前記各組の第１面画像及び第２面画像を夫々の縦方向又は横方向の共通の中心線を軸にして互いに半周期差で同一方向に回転させて連続的に切替表示させるようにしてあることを特徴とする。
【００１１】
本発明に係る画像表示制御装置は、前記表示制御部は、前記各組の第１面画像（又は第２面画像）の上に重ね合わせて表示させた第２面画像（又は第１面画像）を前記表示領域の一方から他方へスライドさせて連続的に切替表示させるようにしてあることを特徴とする。
【００１２】
本発明に係る画像表示制御装置は、前記画像生成部は、画面上の第１領域に表示されるべき第１面画像及び第２面画像の原稿画像に対する縮小率を、第２領域に表示されるべき第１面画像及び第２面画像の縮小率より大きくしてあることを特徴とする。
【００１３】
本発明に係る画像表示制御装置は、前記画像データに基づく画像から原稿のサイズを検出する原稿サイズ検出部を備え、前記表示制御部は、前記原稿サイズ検出部が検出したサイズに応じて異なる態様で切替表示させるようにしてあることを特徴とする。
【００１４】
本発明に係る画像表示制御装置は、所定の操作を受け付ける操作部と、該操作部が前記所定の操作を受け付けた場合、計時を開始する計時部とを備え、前記表示制御部は、前記計時部が計時を開始してから所定時間を計時するまで、前記各組の第１面画像を表示させて切替表示させないようにしてあることを特徴とする。
【００１５】
本発明に係る画像表示制御方法は、画像表示制御装置を用いて、複数枚の両面原稿の原稿画像を構成してあり、各面毎に連続する頁番号が含まれている画像データを取得し、取得した画像データに基づいて、頁番号順に表裏対をなす複数組の第１面画像及び第２面画像を縮小して生成し、生成した複数組の一部又は全部の組の第１面画像又は第２面画像が、画面上の各組毎の表示領域内に頁番号順に並ぶように切替表示させることを特徴とする。
【００１６】
本発明に係るコンピュータプログラムは、画像データを取得して画像データに基づく画像を表示するコンピュータに、複数枚の両面原稿の原稿画像を構成してあり、各面毎に連続する頁番号が含まれている画像データに基づいて画像の表示を制御させるコンピュータプログラムであって、コンピュータに、取得した画像データに基づいて、頁番号順に表裏対をなす複数組の第１面画像及び第２面画像を縮小して生成させるステップと、コンピュータに、生成させた複数組の一部又は全部の組の第１面画像又は第２面画像が、画面上の各組毎の表示領域内に頁番号順に並ぶように切替表示させるステップとを含むことを特徴とするコンピュータプログラム。
【００１７】
本発明にあっては、各表面及び裏面毎に連続する頁番号が付与された複数枚の両面原稿の原稿画像を構成する画像データを、頁番号と共に取得し、取得した画像データに基づいて、画像サイズが原稿画像より縮小され、且つ頁番号順に表裏対をなすように生成した複数組の表面画像及び裏面画像の何れか一方を第１面画像、他方を第２面画像とし、生成した複数組の画像のうち、一部又は全部の組の第１面画像又は第２面画像が、各組別に対応付けられた画面上の表示領域内に頁番号順に並ぶように切替表示させる。
これにより、取得した画像データから縮小して生成した複数組の両面画像のうち、一部又は全部の組の表面画像同士又は裏面画像同士が、画面上の各組別に対応付けられた表示領域内で、夫々１つおきとなる頁番号の若番順又は老番順に並ぶように切替表示される。
【００１８】
本発明にあっては、各組の第１面画像及び第２面画像を複数回連続的に切替表示させるため、画面上で切替表示される表面画像及び裏面画像の組数が多いときであっても、各画像の表裏の関係と頁番号に係る順序関係とが良好に把握される。
【００１９】
本発明にあっては、各組の第１面画像及び第２面画像夫々の縦方向（又は横方向）の中心線を重ね合わせ、該中心線を軸にして互いに半周期差で横方向（又は縦方向）に回転させて連続的に切替表示させる。
これにより、各組の表面画像及び裏面画像の何れか１頁分を回転させることなしに表示させ得る最小限の表示領域内で、表面画像及び裏面画像の両方が効率よく且つ見易く表示される。また、表示される画像の切り替わりの時を除いて、表面画像及び裏面画像の何れか一方の全体が常に表示されるようになる。
【００２０】
本発明にあっては、各組の第１面画像（又は第２面画像）の上に重ね合わせて表示させた第２面画像（又は第１面画像）を、各組別に対応付けられた画面上の表示領域内で、左右方向又は上下方向における一方から他方へスライドさせて連続的に切替表示させる。この場合、各表示領域からはみ出した第２面画像（又は第１面画像）は表示させないようにする。
これにより、各組の表面画像及び裏面画像の何れか１頁分を回転させることなしに表示させ得る最小限の表示領域内で、表面画像及び裏面画像の両方が効率よく且つ見易く表示される。また、画像が回転を伴うことなしに入れ替わって表示されるため、画像が歪みなく表示される。
【００２１】
本発明にあっては、画面上の特定の表示領域に表示されるべき第１面画像及び第２面画像の原稿画像に対する縮小率を、他の表示領域に表示されるべき第１面画像及び第２面画像の縮小率より大きくする。
これにより、例えば、画面の中央に表示される表面画像及び裏面画像が、他の表示領域に表示される画像より大きくなるようにして、画像の編集等の他の処理へ移行させるための画像の選択を容易にさせることができる。
【００２２】
本発明にあっては、各組の第１面画像及び第２面画像を、夫々の原稿のサイズに応じて異なる態様で切替表示させる。
これにより、例えば、厚紙に印刷されるべき名刺と同程度のサイズの原稿については、表面画像及び裏面画像を撓みなく回転させて切替表示させ、通常のＡ４サイズの原稿については、表面画像及び裏面画像を撓ませて頁を捲るように切替表示させることにより、画像が切り替わる様子にリアリティが増す。
【００２３】
本発明にあっては、所定の操作を受け付けた場合に計時を開始すると共に、各組の第１面画像を表示させ、以後所定時間が経過するまでは切替表示をさせない。
これにより、例えば、切替表示の停止の操作を受け付けた場合、各組別の表示領域に表面画像が一斉に同じ態様で表示されるように瞬時に切り替え、その状態が一定時間保持される。
【発明の効果】
【００２４】
本発明によれば、頁番号と共に取得した画像データに基づいて複数組の表面画像及び裏面画像を生成し、そのうちの一部又は全部の組の表面画像又は裏面画像が、画面上の各組別の表示領域内に頁番号順に並ぶように切替表示させる。
これにより、取得した画像データから縮小して生成した複数組の両面画像のうち、一部又は全部の組の表面画像同士又は裏面画像同士が、画面上の各組別に対応付けられた表示領域内で、夫々１つおきとなる頁番号の若番順又は老番順に切替表示される。
従って、複数組の表裏両面の画像の関係が同一画面上で見易く効率的に把握されるように表示させることが可能となる。
【図面の簡単な説明】
【００２５】
【図１】本発明の実施の形態１に係るＰＣを備えたネットワークスキャナシステムの構成を示すブロック図である。
【図２Ａ】３枚の各原稿の表面画像及び裏面画像を画面上の夫々の表示領域内で横回転させて切替表示させる様子を説明する説明図である。
【図２Ｂ】３枚の各原稿の表面画像及び裏面画像を画面上の夫々の表示領域内で横回転させて切替表示させる様子を説明する説明図である。
【図２Ｃ】３枚の各原稿の表面画像及び裏面画像を画面上の夫々の表示領域内で横回転させて切替表示させる様子を説明する説明図である。
【図２Ｄ】３枚の各原稿の表面画像及び裏面画像を画面上の夫々の表示領域内で横回転させて切替表示させる様子を説明する説明図である。
【図２Ｅ】３枚の各原稿の表面画像及び裏面画像を画面上の夫々の表示領域内で横回転させて切替表示させる様子を説明する説明図である。
【図３Ａ】３枚の各原稿の表面画像又は裏面画像を画面上の夫々の表示領域内で側方にスライドさせて切替表示させる様子を説明する説明図である。
【図３Ｂ】３枚の各原稿の表面画像又は裏面画像を画面上の夫々の表示領域内で側方にスライドさせて切替表示させる様子を説明する説明図である。
【図３Ｃ】３枚の各原稿の表面画像又は裏面画像を画面上の夫々の表示領域内で側方にスライドさせて切替表示させる様子を説明する説明図である。
【図４Ａ】画像データを取得して表面画像及び裏面画像を画面上に切替表示させるＣＰＵの処理手順を示すフローチャートである。
【図４Ｂ】画像データを取得して表面画像及び裏面画像を画面上に切替表示させるＣＰＵの処理手順を示すフローチャートである。
【図５】重ね合わせのサブルーチンに係るＣＰＵの処理手順を示すフローチャートである。
【図６Ａ】回転・スライドのサブルーチンに係るＣＰＵの処理手順を示すフローチャートである。
【図６Ｂ】回転・スライドのサブルーチンに係るＣＰＵの処理手順を示すフローチャートである。
【図７】本発明の実施の形態２に係る画像読取装置の構成を示すブロック図である。
【図８】画像データを取得して表面画像及び裏面画像を画面上に切替表示させるＣＰＵの処理手順を示すフローチャートの一部である。
【発明を実施するための形態】
【００２６】
以下、本発明に係る画像表示制御装置をＰＣ（パーソナルコンピュータ）及び画像読取装置に適用した実施の形態について詳述する。
（実施の形態１）
図１は、本発明の実施の形態１に係るＰＣを備えたネットワークスキャナシステムの構成を示すブロック図である。実施の形態１に係るネットワークスキャナシステムは、ＰＣ１と、該ＰＣ１にＬＡＮ３を介して接続されている画像読取装置（スキャナ）２とから構成されている。画像読取装置２は、原稿を載置するための原稿トレイ２１と、各種情報を表示して操作を受け付けるための表示操作部２２とを備える。
【００２７】
ＰＣ１は、制御中枢であるＣＰＵ１０を備え、ＣＰＵ１０は、プログラム等の情報を記憶するＲＯＭ１１及び一時的に発生した情報を記憶するＲＡＭ１２とバス接続されている。ＣＰＵ１０は、ＲＯＭ１１に予め格納されている制御プログラムに従って、入出力処理、演算等の処理を実行する。ＰＣ１は、また、各種の情報、設定等の内容を後述する画面１３０（図２Ａ参照）に表示するＬＣＤからなる表示部１３と、各種の設定、指示及び選択等の操作を受け付けるためのキーボード１４及びマウス１５と、ＬＡＮ３に接続するためのＬＡＮインタフェース１６とを備え、これらは互いにバス接続されている。ＬＡＮ３は、標準的な有線のＬＡＮ回線のみならず、無線によるＬＡＮ回線であってもよく、ＬＡＮ以外の通信回線であってもよい。
【００２８】
次に、ソフトウエアにより実現されるＣＰＵ１０の機能ブロックについて説明する。画像取得部１０１は、ＬＡＮインタフェース１６及びＬＡＮ３を介して画像読取装置２から画像データを取得し、取得した画像データを画像生成部１０２に与える機能を奏する。ＣＰＵ判定部１０３は、ＣＰＵ１０の処理能力及びＣＰＵ１０の稼働率の高低を判定して判定結果を画像生成部１０２に与える機能を奏する。画像生成部１０２は、ＣＰＵ判定部１０３から与えられた判定結果が肯定的である場合に、画像生成部１０１から与えられた画像データに基づいて各頁の画像及び縮小画像を生成し、夫々の画像を原稿サイズ検出部１０４及び表示制御部１０５に与える機能を奏する。
【００２９】
原稿サイズ検出部１０４は、画像生成部１０２から与えられた画像に基づいて原稿のサイズを検出し、検出結果を表示制御部１０５に与える機能を奏する。計時部１０６は設定された時間を計時した結果を表示制御部１０５に与える機能を奏する。表示制御部１０５は、画像生成部１０２から与えられた複数組の縮小画像を画面１３０上の予め定められた複数の表示領域内に切替表示させる機能を奏する。この場合、表示制御部１０５は、原稿サイズ検出部１０４から与えられた原稿のサイズに応じて切替表示の態様を異ならせる。表示制御部１０５は、また、所定の場合に、計時部１０６が所定時間を計時するまで切替表示を停止させるようにしてある。
【００３０】
上述した構成において、画像読取装置２の原稿トレイ２１に複数の両面原稿が載置された後に、表示操作部２２からの読取開始の指示を受け付けた場合、画像読取装置２は、各両面原稿の表面及び裏面の原稿画像を読み取って画像データを生成し、生成した画像データを図示しない画像メモリに記憶する。この場合、読み取られた原稿の表面及び裏面毎に連続する頁番号が頁の通番として付与され、原稿画像を構成する画像データは頁毎にブロック化されて各頁のヘッダに頁番号が埋め込まれるようになっている。また、読み取られた原稿が両面原稿であることを示す属性が、画像データ全体に対して付加される。
【００３１】
一方、ＰＣ１から両面原稿の取出しを指示する信号が画像読取装置２に与えられた場合、既に画像メモリに記憶された画像データが存在するときは、画像読取装置２からＰＣ１へ画像データが送信されて画像取得部１０１によって取得される。画像メモリに記憶された画像データが存在しないときは、原稿トレイ２１に載置された両面原稿が読み取られ、画像メモリに記憶されるべきフォーマットと同一フォーマットの画像データがＰＣ１へ送信される。画像取得部１０１が取得した画像データは、ＲＡＭ１２上に確保された画像メモリに記憶される。
このように、画像取得部１０１が取得する画像データには、頁番号が付与されているため、頁単位のブロックが頁順とは異なる順序で取得されたとしても、正しい頁順序を再現することができる。
【００３２】
次に、画像データを取得したＰＣ１が、各原稿の表面画像及び裏面画像を表示部１３の表示領域に切替表示するまでの前処理について説明する。
キーボード１４又はマウス１５からの画像の表示指示が受け付けられた場合、ＣＰＵ判定部１０３は、ＰＣ１のＣＰＵ１０の処理能力が所定レベルより高いものであるかの判定、及びＣＰＵ１０の稼働率が所定値以下であるかの判定を行う。この場合の処理能力は、例えばＣＰＵ１０のクロック周波数が１ＧＨｚ以上であるかを判定する。これらの判定結果の何れか一方でも否定的なものである場合、画像生成部１０２は、ＣＰＵ１０が、３次元の画像を動的に表示できるものではないとして、それ自体公知の方法により、各頁の静止画像を表示させるようにする。
【００３３】
上述した判定結果が何れも肯定的なものである場合、画像生成部１０２は、先頭に表示するように指示された原稿を含めて画面１３０上に一度に表示可能な両面原稿の枚数分だけ、各原稿の表面画像及び裏面画像を原稿画像より縮小して生成する。この場合、例えば画面１３０上の中央の表示領域に表示させる画像については、原稿画像に対する縮小率を大きくし、他の表示領域に表示される画像より大きく表示させるようにする。
生成された各原稿の表面画像及び裏面画像は、原稿サイズ検出部１０４が検出した原稿のサイズに応じて、画面１３０上で切替表示させるときの態様を変化させる。
【００３４】
図２Ａから２Ｅは、３枚の各原稿の表面画像及び裏面画像を画面１３０上の夫々の表示領域内で横回転させて切替表示させる様子を説明する説明図である。各図において、矩形状の画面１３０上に大小３つの表示領域１３１，１３２，１３３を横並びに確保してあり、夫々の表示領域１３１，１３２，１３３内に縮小した画像を表示させる。この場合、両側部の表示領域１３１，１３３よりも中央部の表示領域１３２のサイズを大きくして、画像が見易く、且つ選択され易くなるようにしてある。本実施の形態１では左側部の表示領域１３１から原稿の番号の昇順に、Ｎ枚目の原稿、Ｎ＋１枚目の原稿、及びＮ＋２枚目の各原稿の表面画像及び裏面画像を連続的に切替表示させる。
【００３５】
図２Ａでは、Ｎ枚目の原稿の表面画像（第２Ｎ−１頁）、Ｎ＋１枚目の原稿の表面画像（第２Ｎ＋１頁）、及びＮ＋２枚目の原稿の表面画像（第２Ｎ＋３頁）を夫々表示領域１３１，１３２，１３３の横幅一杯に表示させた様子を示す。以下では、縦方向の中心線を軸にして回転させた画像を遠近法によって表示するため、画像の手前側（左右の一側部）における上下方向の表示長さが、縦方向の中心線の長さ（即ち、回転させる前の画像の上下方向の表示長さ）より長くなり、反対に、画像の奥側（左右の他側部）における上下方向の表示長さは、縦方向の中心線の長さより短くなる。従って、各表示領域１３１，１３２，１３３の上下の縁部と、夫々に表示される表面画像との間には、表面画像が横回転して上下方向の表示長さが長くなったときにも夫々の表示領域１３１，１３２，１３３を逸脱しないように隙間を設けてある。
尚、各原稿の裏面画像は、夫々の表面画像の裏面に背中合わせにして貼り合わせたように重ねてあり、表面画像が非透過であるために非表示となっている。
【００３６】
図２Ｂでは、各表示領域１３１，１３２，１３３に表示される表面画像を、非表示の裏面画像と共に画像の縦方向の中心線を軸にして、画面１３０の上方から見たときに反時計回りとなる方向に数十度（９０度より小）横回転させた様子を示す。このような仮想空間内における横回転に際し、表面画像の左側部が観測者に近づくように見せるために、左側部の縦幅を拡大させ右側部の縦幅を縮小させて表示させる。
図２Ｃでは、各表示領域１３１，１３２，１３３に表示される表面画像を、ほぼ９０度横回転させた様子を示す。この時点では、各表示領域１３１，１３２，１３３に裏面画像はまだ表示されない。
【００３７】
図２Ｄでは、各表示領域１３１，１３２，１３３に表示される表面画像を、表示され始めた裏面画像と共に百数十度（９０度より大で１８０度より小）横回転させた様子を示す。このとき、各原稿の表面画像は、夫々の裏面画像の裏面に背中合わせにして貼り合わせたように重なっており、裏面画像が非透過であるために非表示となっている。
図２Ｅでは、各表示領域１３１，１３２，１３３に表示される表面画像を、１８０度横回転させた様子を示す。この表示状態は、図２Ａの表示状態と比較して、表面画像及び裏面画像が完全に切り替わっており、第２Ｎ頁、第２Ｎ＋２頁、及び第２Ｎ＋４頁が表示されている。
以下、同様にして各原稿の表面画像及び裏面画像を切替表示させる。
【００３８】
図３Ａから３Ｃは、３枚の各原稿の表面画像又は裏面画像を画面１３０上の夫々の表示領域内１３１，１３２，１３３で側方にスライドさせて切替表示させる様子を説明する説明図である。ここでは、Ｎ枚目の原稿の裏面画像（第２Ｎ頁）、Ｎ＋１枚目の原稿の裏面画像（第２Ｎ＋２頁）、及びＮ＋２枚目の原稿の裏面画像（第２Ｎ＋４頁）の上に、Ｎ枚目の原稿の表面画像（第２Ｎ−１頁）、Ｎ＋１枚目の原稿の表面画像（第２Ｎ＋１頁）、及びＮ＋２枚目の原稿の表面画像（第２Ｎ＋３頁）を夫々重ね合わせた場合について説明する。
【００３９】
図３Ａでは、各原稿の表示領域１３１，１３２，１３３内で表面画像を頁の横幅の略１／４だけ右側方にスライドさせた様子を示す。このスライドにより、夫々の裏面画像が左側部から表示されるようになる。尚、スライドによって夫々の表示領域１３１，１３２，１３３からはみ出した画像は表示させないようにして、隣り合う表示領域内の画像と重ならないようにする。
【００４０】
図３Ｂでは、各原稿の表示領域１３１，１３２，１３３内で表面画像を頁の横幅の略１／２だけ右側方にスライドさせた様子を示す。また、図３Ｃでは、各原稿の表示領域１３１，１３２，１３３内で表面画像を頁の横幅の略３／４だけ右側方にスライドさせた様子を示す。このようにして表面画像の表示から裏面画像の表示へと切り替えて行く。
【００４１】
各原稿の表面画像を頁の横幅だけスライドさせた場合、表面画像及び裏面画像の重なりの関係を逆にし（即ち、表面画像の上に裏面画像を重ね合わせ）、表面画像をスライドしていない状態に戻す。その後、裏面画像を夫々の表示領域１３１，１３２，１３３内で右側方にスライドさせることにより、裏面画像の表示から表面画像の表示へと切り替えて行くことができる。本実施の形態１では、上述した表面画像の表示から裏面画像の表示への切り替え、及び裏面画像の表示から表面画像の表示への切り替えを繰り返し行う。
【００４２】
以下、本発明の実施の形態１に係るＰＣ１が行う動作をフローチャートを用いて説明する。
図４Ａ及び４Ｂは、画像データを取得して表面画像及び裏面画像を画面１３０上に切替表示させるＣＰＵ１０の処理手順を示すフローチャートである。以下の処理は、ＰＣ１のＲＯＭ１１に予め格納された制御プログラムに従って、ＰＣ１のＣＰＵ１０により実行される。ＰＣ１のＣＰＵ１０は、例えば、両面原稿の取出しを指示する信号を画像読取装置２に与えたときに、以下の処理をスタートさせる。
尚、本実施の形態１では、一連の画像データに含まれる各頁の原稿のサイズは同一である。また、画像データ、生成した画像、フラグ等の情報は、ＲＡＭ１２に記憶する。
【００４３】
図４Ａの処理をスタートさせた場合、ＣＰＵ１０は、ＬＡＮインタフェース１６を介して画像読取装置２から画像データを受信したか否かを判定する（Ｓ１１）。受信していないと判定した場合（Ｓ１１：ＮＯ）、ＣＰＵ１０は、画像データを受信するまで待機する。画像データを受信したと判定した場合（Ｓ１１：ＹＥＳ）、ＣＰＵ１０は、受信した画像データをＲＡＭ１２上に確保した画像メモリに書き込み（Ｓ１２）、全頁について画像データを受信したか否かを判定する（Ｓ１３）。まだ全頁の画像データを受信していないと判定した場合（Ｓ１３：ＮＯ）、ＣＰＵ１０は、処理をステップＳ１１に戻す。
【００４４】
全頁の画像データを受信したと判定した場合（Ｓ１３：ＹＥＳ）、ＣＰＵ１０は、キーボード１４又はマウス１５からの画像の表示指示があったか否かを判定する（Ｓ１４）。なかったと判定した場合（Ｓ１４：ＮＯ）、ＣＰＵ１０は、画像の表示指示があるまで待機する。表示指示があったと判定した場合（Ｓ１４：ＹＥＳ）、ＣＰＵ１０は、受信した画像データが両面原稿の属性を有するか否かを判定する（Ｓ１５）。両面原稿の属性を有していないと判定した場合（Ｓ１５：ＮＯ）、ＣＰＵ１０は、各頁の静止画像を表示させて（Ｓ１６）処理を終了する。
【００４５】
受信した画像データが両面原稿の属性を有すると判定した場合（Ｓ１５：ＹＥＳ）、ＣＰＵ１０は、ＣＰＵクロックの周波数が所定値以上（例えば１ＭＨｚ以上）であるか否かを判定する（Ｓ１７）。所定値以下であると判定した場合（Ｓ１７：ＮＯ）、ＣＰＵ１０は、各頁の静止画像を表示させるために処理をステップＳ１６に移す。ＣＰＵクロックの周波数が所定値以上であると判定した場合（Ｓ１７：ＹＥＳ）、ＣＰＵ１０は、ＣＰＵ稼働率が所定値以下（例えば５０％以下）であるか否かを判定する（Ｓ１８）。
【００４６】
ＣＰＵ稼働率が所定値より大きいと判定した場合（Ｓ１８：ＮＯ）、ＣＰＵ１０は、各頁の静止画像を表示させるために処理をステップＳ１６に移す。ＣＰＵ稼働率が所定値以下であると判定した場合（Ｓ１８：ＹＥＳ）、ＣＰＵ１０は、表示開始頁番号（ｎ）を先頭頁の番号である「１」に設定し（Ｓ２０）、先頭に表示すべき原稿の番号（Ｎ）の指示がキーボード１４又はマウス１５からあったか否かを判定する（Ｓ２１）。指示があったと判定した場合（Ｓ２１：ＹＥＳ）、ＣＰＵ１０は、「ｎ＝２Ｎ−１」の演算によって原稿の番号を頁番号に変換する（Ｓ２２）。
【００４７】
ステップＳ２２の処理を終えた場合、又はステップＳ２１で原稿の番号の指示がなかったと判定した場合（Ｓ２１：ＮＯ）、ＣＰＵ１０は、ＲＡＭ１２の画像メモリに記憶した画像データに基づく画像から原稿のサイズを検出してＲＡＭ１２に一旦記憶する（Ｓ２３）。その後、ＣＰＵ１０は、原稿画像に対する画像の縮小率を「０．１」に設定し（Ｓ２４）、ＲＡＭ１２の画像メモリに記憶した画像データに基づいて、第ｎ頁の表面画像及び第ｎ＋１頁の裏面画像を、夫々第１面画像及び第２面画像として上記縮小率で縮小して生成する（Ｓ２５）。尚、表面画像及び裏目面画像を夫々第２面画像及び第１面画像に対応させてもよい。
【００４８】
更に、ＣＰＵ１０は、原稿画像に対する画像の縮小率を「０．４」に設定して（Ｓ２６）、第ｎ＋２頁の表面画像及び第ｎ＋３頁の裏面画像を縮小して生成する（Ｓ２７）。更にまた、ＣＰＵ１０は、原稿画像に対する画像の縮小率を「０．１」に設定して（Ｓ２８）、第ｎ＋４頁の表面画像及び第ｎ＋５頁の裏面画像を縮小して生成する（Ｓ２９）。
このようにして、ＣＰＵ１０は、画面１３０上に表示すべき全頁の画像を原稿画像より縮小して生成する。生成された画像は、ＲＡＭ１２上に確保した表示バッファに書き込まれる。
【００４９】
次いで、ＣＰＵ１０は、後の参照のために、生成した第ｎ頁から第ｎ＋５頁の画像をＲＡＭ１２の表示バッファとは別のバッファにコピーして記憶する（Ｓ３１）。そして、ＣＰＵ１０は、重ね合わせに係るサブルーチンを呼び出して実行し（Ｓ３２）、更に回転・スライドに係るサブルーチンを呼び出して実行してから（Ｓ３３）、３３ｍ秒待機する（Ｓ３４）。
これにより、３枚の各原稿の裏面画像の上に表面画像を重ね合わせた後に画像を回転又はスライドさせる。１／３０秒間待機するのは、１秒間に３０回だけ画像を微少に回転又はスライドさせるためである。尚、ステップＳ３４で待機する時間は、表示の回転周期に応じた適宜の時間とすればよい。
【００５０】
その後、ＣＰＵ１０は、キーボード１４又はマウス１５からの表示切替の停止指示があったか否かを判定する（Ｓ３５）。停止指示があったと判定した場合（Ｓ３５：ＹＥＳ）、ＣＰＵ１０は、ステップＳ３１で記憶した第ｎ頁から第ｎ＋５頁の画像を読み出し（Ｓ３６）、重ね合わせに係るサブルーチンを呼び出して実行してから（Ｓ３７）、５秒間待機する（Ｓ３８）。ステップＳ３８の処理を終えた場合、又はステップＳ３５で停止指示がなかったと判定した場合（Ｓ３５：ＮＯ）、ＣＰＵ１０は、キーボード１４又はマウス１５からの表示切替の終了指示があったか否かを判定する（Ｓ３９）。ＣＰＵ１０は、終了指示がなかったと判定した場合（Ｓ３９：ＮＯ）、処理をステップＳ３３に戻し、終了指示があったと判定した場合（Ｓ３９：ＹＥＳ）、処理を終了する。
このように、ステップＳ３３からＳ３９までの処理を繰り返すことにより、画面１３０上の切替表示が連続的に行われる。
【００５１】
図５は、重ね合わせのサブルーチンに係るＣＰＵ１０の処理手順を示すフローチャートである。図５の処理が呼び出された場合、ＣＰＵ１０は、メインルーチンのステップＳ２３で記憶した原稿のサイズが、Ａ６より小さいか否かを判定する（Ｓ４１）。Ａ６より小さいと判定した場合（Ｓ４１：ＹＥＳ）、ＣＰＵ１０は、回転による表示切替の前段階として、表示すべき原稿の裏面画像にあたる第ｎ＋１頁、第ｎ＋３頁及び第ｎ＋５頁の画像を半回転（180度回転）させる（Ｓ４２）。これにより、各原稿の裏面画像が裏返しとなるため、各原稿の表面画像と裏面画像とを背中合わせに貼り合わせるように重ねる準備が整う。
【００５２】
ステップＳ４２の処理を終えた場合、又はステップＳ４１で原稿のサイズがＡ６より小さくないと判定した場合（Ｓ４１：ＮＯ）、ＣＰＵ１０は、第ｎ＋１頁を画面１３０上の左側部の表示領域１３１に配置し（Ｓ４３）、第ｎ頁をその上に重ね合わせる（Ｓ４４）。更に、ＣＰＵ１０は、第ｎ＋３頁を画面１３０上の中央部の表示領域１３２に配置し（Ｓ４５）、第ｎ＋２頁をその上に重ね合わせる（Ｓ４６）。更にまた、ＣＰＵ１０は、第ｎ＋５頁を画面１３０上の右側部の表示領域１３３に配置し（Ｓ４７）、第ｎ＋４頁をその上に重ね合わせ（Ｓ４８）、最後に、表面画像を手前側にして表示中であることを示す「表面フラグ」に「１」をセットして（Ｓ４９）処理を終了する。
【００５３】
図６Ａ及び６Ｂは、回転・スライドのサブルーチンに係るＣＰＵ１０の処理手順を示すフローチャートである。図６Ａの処理が呼び出された場合、ＣＰＵ１０は、上述したルーチンのステップＳ２３で記憶した原稿のサイズが、Ａ６より小さいか否かを判定する（Ｓ５１）。Ａ６より小さいと判定した場合（Ｓ５１：ＹＥＳ）、ＣＰＵ１０は、表面画像及び裏面画像を回転して表示切替させるために、互いに２頁ずつ背中合わせに重ね合わされた第ｎ頁から第ｎ＋５頁の画像を２度だけ横回転させる（Ｓ５２）。この処理が１秒間に３０回呼び出された場合、画像は毎秒６０度回転することとなる。
尚、ここでの回転方向は、例えば、画面１３０の上方から見たときに反時計回りとなる方向とし、回転角度はＲＡＭ１２に記憶する。回転方向は、逆であってもよい。回転角度は、表示の滑らかさに応じた適宜の角度とすればよい。
【００５４】
その後、ＣＰＵ１０は、第ｎ頁の画像が９０度回転したか否かを判定する（Ｓ５３）。９０度回転したと判定した場合（Ｓ５３：ＹＥＳ）、ＣＰＵ１０は、表示の表裏を切り替えるために、第ｎ＋１頁を第ｎ頁の上に重ね合わせ（Ｓ５４）、更に、第ｎ＋３頁を第ｎ＋２頁の上に重ね合わせ（Ｓ５５）、更にまた、第ｎ＋５頁を第ｎ＋４頁の上に重ね合わせて（Ｓ５６）呼び出されたルーチンにリターンする。
【００５５】
ステップＳ５３で第ｎ頁の画像が９０度回転していないと判定した場合（Ｓ５３：ＮＯ）、ＣＰＵ１０は、第ｎ頁の画像が２７０度回転したか否かを判定する（Ｓ５７）。２７０度回転していないと判定した場合（Ｓ５７：ＮＯ）、呼び出されたルーチンにリターンする。２７０度回転したと判定した場合（Ｓ５７：ＹＥＳ）、ＣＰＵ１０は、表示の表裏を切り替えるために、第ｎ頁を第ｎ＋１頁の上に重ね合わせ（Ｓ５８）、更に、第ｎ＋２頁を第ｎ＋３頁の上に重ね合わせ（Ｓ５９）、更にまた、第ｎ＋４頁を第ｎ＋５頁の上に重ね合わせて（Ｓ６０）呼び出されたルーチンにリターンする。
【００５６】
ステップＳ５１で原稿のサイズがＡ６より小さくないと判定した場合（Ｓ５１：ＮＯ）、ＣＰＵ１０は、表面画像及び裏面画像のどちらを手前側にして表示中であるかを判定するために、「表面フラグ」が「１」であるか否かを判定する（Ｓ６１）。「１」であると判定した場合（Ｓ６１：ＹＥＳ）、ＣＰＵ１０は、手前側にして表示されている第ｎ頁、第ｎ＋２頁及び第ｎ＋４頁の画像を画面１３０上で右側方に頁幅の１／９０だけスライドさせる（Ｓ６２）。この処理が１秒間に３０回呼び出された場合、画像は３秒でスライドを完了することとなる。
尚、スライドさせたときに画面１３０上の各表示領域１３１，１３２，１３３からはみ出した画像は表示させないようにし、スライド量はＲＡＭ１２に記憶する。回転角度は、表示の滑らかさに応じた適宜の角度とすればよい。
【００５７】
その後、ＣＰＵ１０は、スライドが完了したか否かを判定し（Ｓ６３）、完了していないと判定した場合（Ｓ６３：ＮＯ）、呼び出されたルーチンにリターンする。完了したと判定した場合（Ｓ６３：ＹＥＳ）、ＣＰＵ１０は、表示の表裏を切り替えるために、第ｎ＋１頁を第ｎ頁の上に重ね合わせ（Ｓ６４）、更に、第ｎ＋３頁を第ｎ＋２頁の上に重ね合わせ（Ｓ６５）、更にまた、第ｎ＋５頁を第ｎ＋４頁の上に重ね合わせる（Ｓ６６）。そして、ＣＰＵ１０は、スライドを完了した第ｎ頁、第ｎ＋２頁及び第ｎ＋４頁の画像のスライドを元に戻し（Ｓ６７）、「表面フラグ」を「０」にクリアして（Ｓ６８）呼び出されたルーチンにリターンする。
【００５８】
ステップＳ６１で「表面フラグ」が「１」ではないと判定した場合（Ｓ６１：ＮＯ）、ＣＰＵ１０は、手前側にして表示されている第ｎ＋１頁、第ｎ＋３頁及び第ｎ＋５頁の画像を画面１３０上で右側方に頁幅の１／９０だけスライドさせる（Ｓ７２）。そして、ＣＰＵ１０は、スライドが完了したか否かを判定し（Ｓ７３）、完了していないと判定した場合（Ｓ７３：ＮＯ）、呼び出されたルーチンにリターンする。
【００５９】
完了したと判定した場合（Ｓ７３：ＹＥＳ）、ＣＰＵ１０は、表示の表裏を切り替えるために、第ｎ頁を第ｎ＋１頁の上に重ね合わせ（Ｓ７４）、更に、第ｎ＋２頁を第ｎ＋３頁の上に重ね合わせ（Ｓ７５）、更にまた、第ｎ＋４頁を第ｎ＋５頁の上に重ね合わせる（Ｓ７６）。そして、ＣＰＵ１０は、スライドを完了した第ｎ＋１頁、第ｎ＋３頁及び第ｎ＋５頁の画像のスライドを元に戻し（Ｓ７７）、「表面フラグ」を「１」にセットして（Ｓ７８）呼び出されたルーチンにリターンする。
【００６０】
以上のように本実施の形態１によれば、各表面及び裏面毎に連続する頁番号が付与された複数枚の両面原稿の原稿画像を画像読取装置で読み取った画像データを頁番号と共に取得する。そして、取得した画像データに基づいて、頁番号順に表裏対をなす３組の表面画像及び裏面画像を夫々第１面画像及び第２面画像として縮小生成し、生成した３組の表面画像又は裏面画像が、各組別に対応付けられた画面上の表示領域内に頁番号順に並ぶように切替表示させる。
これにより、取得した画像データから縮小して生成した３組の表面画像同士又は裏面画像同士が、画面上の各組別に対応付けられた表示領域内で、夫々１つおきとなる頁番号の若番順に並ぶように切替表示される。
従って、複数組の表裏両面の画像の関係が同一画面上で見易く効率的に把握されるように表示させることが可能となる。
【００６１】
また、各組の表面画像及び裏面画像を繰り返し切替表示させるため、画面上で切替表示される表面画像及び裏面画像の組数が多いときであっても、各画像の表裏の関係と頁番号に係る順序関係とを良好に把握することが可能となる。
【００６２】
更にまた、各組の表面画像及び裏面画像の縦方向の中心線を重ね合わせ、該中心線を軸にして互いに半周期差で横方向に回転させて繰り返し切替表示させる。
従って、各組の表面画像及び裏面画像の何れか１頁分を回転させることなしに表示させ得る最小限の表示領域内で、表面画像及び裏面画像の両方を効率よく且つ見易く表示させることが可能となる。また、表示される画像の切り替わりの時を除いて、表面画像及び裏面画像の何れか一方の全体を常に表示させることが可能となる。
【００６３】
更にまた、各組の表面画像（又は裏面画像）の上に重ね合わせて表示させた裏面画像（又は表面画像）を、各組別に対応付けられた画面上の表示領域内で右側方へスライドさせ、表示領域からはみ出した画像を表示させないようにして繰り返し切替表示させる。
従って、各組の表面画像及び裏面画像の何れか１頁分を回転させることなしに表示させ得る最小限の表示領域内で、表面画像及び裏面画像の両方を効率よく且つ見易く表示させることが可能となる。また、画像が回転を伴うことなしに入れ替わって表示されるため、画像を歪みなく表示させることが可能となる。
【００６４】
更にまた、画面上の中央部の表示領域に表示される表面画像及び裏面画像の原稿画像に対する縮小率を、両側部の表示領域に表示される表面画像及び裏面画像の縮小率より大きくする。
従って、中央部に表示される画像について、編集等の他の処理へ移行させるための画像の選択を容易にさせることが可能となる。
【００６５】
更にまた、原稿のサイズがＡ６より小さい場合、表面画像及び裏面画像を回転させて切替表示させ、Ａ６より大きい場合、表面画像又は裏面画像をスライドさせて切替表示させる。
従って、原稿のシートが通常有する厚みに応じた態様で切替表示させるため、画像が切り替わる様子にリアリティを高めることが可能となる。
【００６６】
更にまた、表示切替の停止指示を受け付けた場合、各組の表面画像を５秒間停止させた状態で表示させる。
従って、各組別の表示領域に表面画像を一斉に表示させて一定時間保持させることが可能となる。
【００６７】
尚、本実施の形態１にあっては、両面原稿の属性を画像データ全体に付加してあり、画像データが両面原稿の属性を有する場合は奇数頁を表面として扱っているが、これに限定されるものではない。例えば、頁番号のほかに各頁が原稿の表面及び裏面の何れに対応するかを示す情報を夫々の頁のヘッダに付加しておき、前記情報の内容に応じて原稿の表面及び裏面を判定してもよい。
【００６８】
また、受信した画像データが両面原稿の属性を有しない場合、無条件に各頁の静止画像を表示させているが、これに限定されるものではない。例えば、画像読取装置が画像データに両面原稿の属性を付加する機能を有しない場合であっても、画像読取装置に送信した原稿の取出し指示が両面原稿に係るものであるか否かによって、受信した画像データに基づく表面画像及び裏面画像を切替表示させるか、又は各頁の静止画像を表示させるかを変更するようにしてもよい。
【００６９】
更にまた、画像読取装置から受信した画像データが、画像読取装置の画像メモリに既に記憶されていたものであるか否かに関わりなく、画像データに基づく表面画像及び裏面画像を切替表示させているが、これに限定されるものではない。例えば、画像読取装置の画像メモリに既に記憶されていた画像データを受信した場合に、受信した画像データに基づく表面画像及び裏面画像を切替表示させるか、又は各頁の静止画像を表示させるかを、使用者が設定して変更できるようにしてもよい。
【００７０】
更にまた、画面上の３つの各表示領域１３１，１３２，１３３に表面画像及び裏面画像を表示させているが、これに限定されるものではなく、２つ又は４つ以上の表示領域に表示させてもよい。
【００７１】
更にまた、画面上の左側部の表示領域１３１に表示させるべき頁が、原稿の番号で指定されるようになっているが、頁番号で指定されるようにしてもよい。
【００７２】
更にまた、画面上の各表示領域１３１，１３２，１３３に表面画像同士又は裏面画像同士を１つおきとなる頁番号の若番順に表示させているが、老番順に表示させてもよい。
【００７３】
更にまた、原稿画像に対する画像の縮小率は画面上の各表示領域１３１，１３２，１３３に応じて一定にしているが、検出した原稿のサイズの大小に応じて原稿画像に対する画像の縮小率を小大に変化させてもよい。これにより、画面上の各表示領域１３１，１３２，１３３に表示される頁のサイズが、原稿のサイズに関わらず、ほぼ一定となるようにすることができる。
【００７４】
更にまた、一連の画像データに含まれる各頁の原稿のサイズは同一であるものとしているが、原稿毎に原稿のサイズが変わることを許容するようにしてもよい。その場合、原稿毎に切替表示の態様を異ならせてもよい。
【００７５】
更にまた、図２Ａから２Ｅでは、各原稿の表面画像及び裏面画像を画像の縦方向の中心線を軸にして横回転させているが、横方向の中心線を軸にして縦回転させてもよい。
【００７６】
更にまた、図３Ａから３Ｃでは、各原稿について手前側に重ね合わせられた表面画像を各表示領域１３１，１３２，１３３から追い出すように右側方にスライドさせているが、各原稿の表示領域外に予めスライドさせた裏面画像を、表示領域内に徐々にスライドさせて、表面画像の上に重ね合わせるようにしてもよい。この場合であっても、裏面画像のうち、表示領域外にある画像は非表示とすればよい。
【００７７】
更にまた、図３Ａから３Ｃでは、表面画像を右側方にスライドさせているが、これに限定されるものではなく、左側方、上方、又は下方にスライドさせてもよい。また、表面画像を撓ませて頁を捲るように切替表示させてもよい。
【００７８】
（実施の形態２）
実施の形態１は、ＰＣ１が画像読取装置２から画像データを取得して表示部１３に画像を切替表示させる形態であるのに対し、実施の形態２は、画像読取装置が両面原稿を読み取って画像データを生成し、生成された画像データに基づいて、大画面のＬＣＤを有する表示部に画像を切替表示させる形態である。
【００７９】
図７は、本発明の実施の形態２に係る画像読取装置の構成を示すブロック図である。図中４は画像読取装置であり、画像読取装置４は、制御中枢であるＣＰＵ４０を備え、ＣＰＵ４０は、プログラム等の情報を記憶するＲＯＭ４１及び一時的に発生した情報を記憶するＲＡＭ４２とバス接続されている。ＣＰＵ４０は、ＲＯＭ４１に予め格納されている制御プログラムに従って、入出力処理、演算等の処理を実行する。画像読取装置４は、また、各種の情報、設定等の内容及び画像を画面１３０に表示する大画面のＬＣＤからなる表示部４３と、各種の設定、指示及び選択等の操作を受け付けるためのキーを有する操作部４４と、ＬＡＮ等のネットワークに接続するための通信部４５とを備え、これらは互いにバス接続されている。
【００８０】
画像読取装置４は、更にまた、両面原稿の原稿画像を読み取って画像データを生成する原稿読取部４６と、該原稿読取部４６が生成した画像データを一時的に頁毎に記憶するためのページメモリ４７とを備える。該ページメモリ４７に記憶された画像データは、画像処理部４８によって画像処理が施され、一連の画像データとして画像メモリ４９に記憶されるようになっている。画像読取部４６は、図示しない原稿トレイに載置された複数の両面原稿を１枚ずつ所定の読取部位へ搬送する原稿搬送部４６０、読取部位に搬送された原稿の上面（表面）を読み取るための上面読取部４６１、及び原稿の下面（裏面）を読み取るための下面読取部４６２を有している。
【００８１】
画像処理部４８は、原稿読取部４６の照明系、結像系、及び撮像系において画像データに生じた各種の歪みを補正すると共に、画像データにＪＰＥＧ等の所定の符号化処理を施すものである。
【００８２】
ソフトウエアにより実現されるＣＰＵ４０の機能ブロックは、実施の形態１におけるＣＰＵ１０の機能ブロックと構成が同等であり、画像取得部４０１を除いて機能も同等であるため、説明の大部分を省略する。
画像取得部４０１は、両面原稿の読取開始の指示を受け付けて原稿読取部４６による読み取りを開始させ、ページメモリ４７に記憶された各頁の画像データを画像処理部４８に処理させて、一連の画像データを画像メモリ４９に記憶させることにより、取得した画像データを画像生成部１０２に与える機能を奏する。
【００８３】
上述した構成において、画像読取装置４の図示しない原稿トレイに複数の両面原稿が載置された後に、操作部４４からの読取開始の指示を受け付けた場合、画像読取装置４は、各両面原稿の表面及び裏面の原稿画像を読み取って画像データを生成し、生成した画像データを補正及び符号化して画像メモリ４９に記憶する。この場合、読み取られた原稿の表面及び裏面毎に連続する頁番号が頁の通番として付与され、原稿画像を構成する画像データは頁毎にブロック化されて各頁のヘッダに頁番号が埋め込まれるようになっている。また、読み取られた原稿が両面原稿であることを示す属性が、画像データ全体に対して付加される。
【００８４】
図８は、画像データを取得して表面画像及び裏面画像を画面１３０上に切替表示させるＣＰＵ４０の処理手順を示すフローチャートの一部である。以下の処理は、画像読取装置４のＲＯＭ４１に予め格納された制御プログラムに従って、画像読取装置４のＣＰＵ４０により実行される。画像読取装置４のＣＰＵ４０は、例えば、図示しない原稿台に両面原稿が載置されて読み取りの準備が整ったときに、以下の処理をスタートさせる。
【００８５】
図８の処理をスタートさせた場合、ＣＰＵ４０は、操作部４４からの原稿の読取開始の指示があったか否かを判定する（Ｓ８１）。読取開始の指示がなかったと判定した場合（Ｓ８１：ＮＯ）、ＣＰＵ４０は、原稿の読取開始の指示があるまで待機する。原稿の読取開始の指示があったと判定した場合（Ｓ８１：ＹＥＳ）、ＣＰＵ４０は、原稿読取部４６に対し、原稿の読み取りを開始させる（Ｓ８２）。
【００８６】
その後、ＣＰＵ４０は、ページメモリ４７が１頁分の記憶を完了したか否かを判定する（Ｓ８３）。完了していないと判定した場合（Ｓ８３：ＮＯ）、ＣＰＵ４０は、ページメモリ４７が記憶を完了するまで待機する。ページメモリ４７が記憶を完了したと判定した場合（Ｓ８３：ＹＥＳ）、ＣＰＵ４０は、画像処理部４８に所定の画像処理を開始させる（Ｓ８４）。次いで、ＣＰＵ４０は、画像処理部４８が１頁分の画像処理を完了したか否かを判定する（Ｓ８５）。
【００８７】
完了していないと判定した場合（Ｓ８５：ＮＯ）、ＣＰＵ４０は、画像処理部４８が画像処理を完了するまで待機する。画像処理部が画像処理を完了したと判定した場合（Ｓ８５：ＹＥＳ）、ＣＰＵ４０は、画像処理が完了した頁が最終頁であるか否かを判定する（Ｓ８６）。最終頁ではないと判定した場合（Ｓ８６：ＮＯ）、ＣＰＵ４０は、処理をステップＳ８３に戻す。最終頁であると判定した場合（Ｓ８６：ＹＥＳ）、ＣＰＵ４０は、処理をステップＳ１４に移す。その後の処理は実施の形態１と同様であるため、その説明を省略する。
【００８８】
その他、実施の形態１に対応する箇所には同様の符号を付して、その詳細な説明を省略する。
【００８９】
以上のように本実施の形態２によれば、各表面及び裏面毎に連続する頁番号が付与された複数枚の両面原稿の原稿画像を画像読取部で読み取った画像データを画像メモリに記憶させる。そして、画像メモリに記憶した画像データに基づいて、頁番号順に表裏対をなす３組の表面画像及び裏面画像を夫々第１面画像及び第２面画像として縮小生成し、生成した３組の表面画像又は裏面画像が、各組別に対応付けられた画面上の表示領域内に頁番号順に並ぶように切替表示させる。
これにより、取得した画像データから縮小して生成した３組の表面画像同士又は裏面画像同士が、画面上の各組別に対応付けられた表示領域内で、夫々１つおきとなる頁番号の若番順に並ぶように切替表示される。
従って、複数組の表裏両面の画像の関係が同一画面上で見易く効率的に把握されるように表示させることが可能となる。
【００９０】
尚、本実施の形態２にあっては、表示部４３が大画面のＬＣＤを有し、前記ＬＣＤに各原稿の表面画像及び裏面画像を切替表示させているが、このような構成に限定されるものではなく、例えば、表示部４３に表示装置を外付けして表示装置の画面上で切替表示させてもよい。
また、画像読取装置４が複合機等の他の装置であってもよい。
【００９１】
本発明は、コンピュータに実行させるためのプログラムコード（実行形式プログラム、中間コードプログラム、ソースプログラム）を記録したコンピュータ読み取り可能な記録媒体に、上述した、取得した画像データに基づいて縮小生成させた第１面画像又は第２面画像を切替表示させる方法を記録したものとすることも可能である。これにより、前記方法を行うプログラムを記録した記録媒体を持ち運び自在に提供することができる。
【００９２】
記録媒体としては、例えばＲＯＭのようなプログラムメディアであってもよく、外部記憶装置として設けられた図示しないプログラム読取装置に記録媒体を挿入することで読み取り可能なプログラムメディアであってもよい。何れの場合においても、格納されているプログラムコードは、ＣＰＵにアクセスされて実行される構成であってもよく、プログラムコードが読み出され、例えばＲＡＭのプログラム記憶エリアにダウンロードされて実行される構成であってもよい。このダウンロード用のプログラムは予め本体装置に格納されているものとする。
【００９３】
前記プログラムメディアは、また、インターネットを含む通信ネットワークからプログラムコードがダウンロード可能となるようにプログラムコードが流動的に担持された媒体であってもよい。このように通信ネットワークからプログラムコードをダウンロードする場合、ダウンロード用のプログラムは、予め本体装置に格納されるものでもよく、他の記録媒体からインストールされるものであってもよい。尚、本発明は、前記プログラムコードが搬送波に埋め込まれて電子的に伝送されるコンピュータデータ信号の形態でも実現され得る。
【００９４】
前記記録媒体は、例えば、デジタル複合機及びコンピュータシステムに備えられるプログラム読取装置によって読み取られ、ＣＰＵによって上述した画像の切替表示方法が実行される。コンピュータシステムは、フラットベッドスキャナ、フィルムスキャナ、デジタルカメラ等の画像入力装置、所定のプログラムがロードされることにより上記画像の切替表示方法など様々な処理が行われるコンピュータ、コンピュータの処理結果を表示するＣＲＴディスプレイ、液晶ディスプレイ等の画像表示装置、及びコンピュータの処理結果を紙等に出力するプリンタより構成される。更には、ネットワークを介してサーバー等に接続するためのネットワークカード、モデム等の通信手段が備えられる。
【符号の説明】
【００９５】
１  ＰＣ（画像表示制御装置）
１０、４０  ＣＰＵ
１０１、４０１  画像取得部
１０２  画像生成部
１０４  原稿サイズ検出部
１０５  表示制御部
１０６  計時部
１１、４１  ＲＯＭ
１２、４２  ＲＡＭ
１３、４３  表示部
１３０  画面
１３１，１３２，１３３  表示領域
２  画像読取装置（スキャナ）
４  画像読取装置（画像表示制御装置）
３  ＬＡＮ
４６  原稿読取部
４９  画像メモリ
【図１】
2011048480.tif 000003
【図２Ａ】
2011048480.tif 000004
【図２Ｂ】
2011048480.tif 000005
【図２Ｃ】
2011048480.tif 000006
【図２Ｄ】
2011048480.tif 000007
【図２Ｅ】
2011048480.tif 000008
【図３Ａ】
2011048480.tif 000009
【図３Ｂ】
2011048480.tif 000010
【図３Ｃ】
2011048480.tif 000011
【図４Ａ】
2011048480.tif 000012
【図４Ｂ】
2011048480.tif 000013
【図５】
2011048480.tif 000014
【図６Ａ】
2011048480.tif 000015
【図６Ｂ】
2011048480.tif 000016
【図７】
2011048480.tif 000017
【図８】
2011048480.tif 000018